(57)【要約】  本発明の医療用コネクタは、オスコネクタ接続部を有するキャップと、医療器具接続部を有するホルダと、前記オスコネクタ接続部を閉塞する弁体とを備え、前記オスコネクタ接続部へのオスコネクタの接続にて、該オスコネクタにより、前記弁体が押し込まれ、前記オスコネクタ内の液体流路を前記医療器具接続部内の液体流路に連通させる医療用コネクタにおいて、前記キャップと前記ホルダとは、互いに、前記オスコネクタ接続部の軸線の周りに回動可能に連結されていることを特徴とするものである。
2016047135.tif 000002
【特許請求の範囲】
【請求項１】
オスコネクタ接続部を有するキャップと、医療器具接続部を有するホルダと、前記オスコネクタ接続部を閉塞する弁体とを備え、前記オスコネクタ接続部へのオスコネクタの接続にて、該オスコネクタにより、前記弁体が押し込まれ、前記オスコネクタ内の液体流路を前記医療器具接続部内の液体流路に連通させる医療用コネクタにおいて、
前記キャップと前記ホルダとは、互いに、前記オスコネクタ接続部の軸線の周りに回動可能に連結されていることを特徴とする医療用コネクタ。
【請求項２】
前記キャップは、前記ホルダに対して前記オスコネクタ接続部の軸線の周りに回動可能に連結された円筒状の外周壁部を有し、
前記ホルダは、前記外周壁部の内周側に配置された内周壁部を有し、
前記医療用コネクタは、前記内周壁部の第１の周領域部分と前記外周壁部との間への液体の流入を妨げる封止部材を備え、
前記内周壁部における前記第１の周領域部分を除く第２の周領域部分と前記外周壁部との間には、前記オスコネクタ接続部への前記オスコネクタの接続にて前記オスコネクタ内の液体流路を前記医療器具接続部内の液体流路に連通させる液体連通路が形成されている、請求項１に記載の医療用コネクタ。
【請求項３】
前記弁体は中空部を有し、
前記ホルダは、前記オスコネクタ接続部への前記オスコネクタの接続に伴い前記中空部から空気を排出する一方で、前記オスコネクタ接続部からの前記オスコネクタの接続解除に伴い前記中空部へ空気を導入するための通気路を有する、請求項２に記載の医療用コネクタ。
【請求項４】
前記通気路の一端は、前記内周壁部における前記第１の周領域部分の外周面に開口しており、
前記封止部材は、前記外周壁部の内周面に全周に亘って貼着された弾性壁であり、
前記外周壁部は、前記オスコネクタ接続部への前記オスコネクタの接続に伴い前記中空部から前記通気路を通じて排出された空気によって前記弾性壁が外周側に向かって膨らむことを可能にする開口部を有する、請求項３に記載の医療用コネクタ。
【請求項５】
前記開口部は、前記オスコネクタ接続部の軸線の周りに全周に亘って間隔を空けて配置された複数の開口からなり、
前記通気路の一端は、前記複数の開口の間隔よりも大きい周方向幅を有する、請求項４に記載の医療用コネクタ。
【請求項６】
前記封止部材は、前記内周壁部の前記第１の周領域部分に貼着された環状をなす帯状弾性体を有し、
前記通気路の一端は、前記医療用コネクタの外部に連通している、請求項３に記載の医療用コネクタ。
【発明の詳細な説明】
【技術分野】
【０００１】
本発明は、オスコネクタ接続部へのオスコネクタの接続にて、該オスコネクタにより、弁体が押し込まれ、オスコネクタ内の液体流路を医療器具接続部内の液体流路に連通させる医療用コネクタに関し、特に、医療用コネクタを介して接続された管体間の捩れに起因する、管体内での液体の流通の阻害や、オスコネクタ接続部からのオスコネクタの抜脱の発生を抑制しようとするものである。
【背景技術】
【０００２】
従来、例えば医療用の各種機器や輸液容器、送液器具などで用いられ、医療器具の管体を接続するための医療用コネクタとして、例えば、特許文献１に記載されるようなものが知られている。このような医療用コネクタは、オスコネクタ接続部を有するキャップと、医療器具接続部を有すると共にキャップに固着されたホルダと、オスコネクタ接続部を閉塞する弁体とを備えており、オスコネクタ接続部へのオスコネクタの接続にて、該オスコネクタにより、弁体が押し込まれ、オスコネクタ内の液体流路を医療器具接続部内の液体流路に連通させるようになっている。
【先行技術文献】
【特許文献】
【０００３】
【特許文献１】特表２０１３−５００４５３号公報
【発明の概要】
【発明が解決しようとする課題】
【０００４】
しかしながら、特許文献１に記載されるような従来の医療用コネクタでは、例えば、輸液バッグに繋がる管体と患者に留置された管体とを医療用コネクタを介して連結した状態で患者の体位変換が生じた場合などに、医療用コネクタを介して接続された管体間に捩れが生じ、該捩れに起因して、管体が捩れて管体内の流路が潰れ、液体の流通の阻害を生じるおそれがあった。【０００５】
また、例えば、オスコネクタ接続部がルアーロック式のものである場合などに、前記したような、医療用コネクタを介して接続された管体間の捩れの発生に起因して、オスコネクタ接続部に対するオスコネクタの接続が弱まり、オスコネクタ接続部からのオスコネクタの抜脱を生じるおそれがあった。特に、高カロリー輸液を行う場合などのように、中心静脈に留置された管体を接続する場合においては、オスコネクタの抜脱は深刻な事態を引き起こすおそれがある。【０００６】
本発明は、前記の現状に鑑み開発されたもので、医療用コネクタを介して接続された管体間の捩れに起因する、管体内での液体の流通の阻害や、オスコネクタ接続部からのオスコネクタの抜脱の発生を抑制することができる医療用コネクタを提供することを目的とする。
【課題を解決するための手段】
【０００７】
本発明の医療用コネクタは、オスコネクタ接続部を有するキャップと、医療器具接続部を有するホルダと、前記オスコネクタ接続部を閉塞する弁体とを備え、前記オスコネクタ接続部へのオスコネクタの接続にて、該オスコネクタにより、前記弁体が押し込まれ、前記オスコネクタ内の液体流路を前記医療器具接続部内の液体流路に連通させる医療用コネクタにおいて、前記キャップと前記ホルダとは、互いに、前記オスコネクタ接続部の軸線の周りに回動可能に連結されていることを特徴とする。【０００８】
ここで、本発明の医療用コネクタは、前記キャップは、前記ホルダに対して前記オスコネクタ接続部の軸線の周りに回動可能に連結された円筒状の外周壁部を有し、前記ホルダは、前記外周壁部の内周側に配置された内周壁部を有し、前記医療用コネクタは、前記内周壁部の第１の周領域部分と前記外周壁部との間への液体の流入を妨げる封止部材を備え、前記内周壁部における前記第１の周領域部分を除く第２の周領域部分と前記外周壁部との間には、前記オスコネクタ接続部への前記オスコネクタの接続にて前記オスコネクタ内の液体流路を前記医療器具接続部内の液体流路に連通させる液体連通路が形成されていることが好ましい。【０００９】
また、本発明の医療用コネクタは、前記弁体は中空部を有し、前記ホルダは、前記オスコネクタ接続部への前記オスコネクタの接続に伴い前記中空部から空気を排出する一方で、前記オスコネクタ接続部からの前記オスコネクタの接続解除に伴い前記中空部へ空気を導入するための通気路を有することが好ましい。【００１０】
また、本発明の医療用コネクタは、前記通気路の一端は、前記内周壁部における前記第１の周領域部分の外周面に開口しており、前記封止部材は、前記外周壁部の内周面に全周に亘って貼着された弾性壁であり、前記外周壁部は、前記オスコネクタ接続部への前記オスコネクタの接続に伴い前記中空部から前記通気路を通じて排出された空気によって前記弾性壁が外周側に向かって膨らむことを可能にする開口部を有することが好ましい。【００１１】
また、本発明の医療用コネクタは、前記開口部は、前記オスコネクタ接続部の軸線の周りに全周に亘って間隔を空けて配置された複数の開口からなり、前記通気路の一端は、前記複数の開口の間隔よりも大きい周方向幅を有することが好ましい。【００１２】
さらに、本発明の医療用コネクタは、前記封止部材は、前記内周壁部の前記第１の周領域部分に貼着された環状をなす帯状弾性体を有し、前記通気路の一端は、前記医療用コネクタの外部に連通していることが好ましい。
【発明の効果】
【００１３】
本発明によれば、キャップとホルダとが、互いに、オスコネクタ接続部の軸線の周りに回動可能に連結されているため、医療用コネクタを介して接続された管体間に捩れが生じた場合には、キャップとホルダが相互に回動することで、当該捩れを吸収することができる。【００１４】
したがって、本発明によれば、医療用コネクタを介して接続された管体間の捩れに起因する、管体内での液体の流通の阻害や、オスコネクタ接続部からのオスコネクタの抜脱の発生を抑制することができる医療用コネクタを提供することができる。
【図面の簡単な説明】
【００１５】
【図１】本発明の一実施形態に係る医療用コネクタの縦断面図である。
【図２】図１の医療用コネクタの斜視図である。
【図３】図１の医療用コネクタのホルダの斜視図である。
【図４】図３のホルダの他の角度から見た斜視図である。
【図５】図３のホルダの更なる他の角度から見た斜視図である。
【図６】図１の医療用コネクタの弁体の斜視図である。
【図７】図６の弁体の他の角度から見た斜視図である。
【図８】図１の医療用コネクタの縦断面図であって、オスコネクタ接続時の状態を示す。
【図９】図８のＡ−Ａ断面図である。
【図１０】本発明の他の実施形態に係る医療用コネクタの縦断面図である。
【図１１】図１０の医療用コネクタの斜視図である。
【図１２】図１０の医療用コネクタのホルダの斜視図である。
【図１３】図１０のホルダの他の角度から見た斜視図である。
【発明を実施するための形態】
【００１６】
以下、図１〜図９を参照して、本発明の一実施形態に係る医療用コネクタについて詳細に例示説明する。
なお、本明細書において、上下方向とは、オスコネクタ接続部の軸線に沿う方向を意味し、上方はオスコネクタ接続部が配置される側（すなわち、図１及び図１０における上方）を意味し、下方はその反対側を意味するものとする。
【００１７】
図１及び図２に示すように、医療用コネクタ１は、オスコネクタ接続部２を有するキャップ３と、医療器具接続部４を有するホルダ５と、オスコネクタ接続部２を閉塞する弁体６とを備えている。キャップ３及びホルダ５は、例えば合成樹脂材料によって構成することができる。また、弁体６は、例えば、合成ゴムなどのエラストマ材料によって構成することができる。
【００１８】
キャップ３は、ホルダ５に対してオスコネクタ接続部２の軸線Ｏの周りに回動可能に連結された円筒状の外周壁部７を有している。本例では、外周壁部７の上端部は、円筒状のオスコネクタ接続部２の下端部に向かって縮径するテーパ壁状に形成されている。また、オスコネクタ接続部２の外周面には、本例では、ルアーロックタイプのオスコネクタＣ（後掲図８参照）を接続するための雄ねじが形成されている。なお、オスコネクタ接続部２とオスコネクタＣとの接続時の固定構造としては、ねじに代えて凹凸部同士の嵌合を用いてもよい。また、ねじや嵌合による固定は行わず、単にオスコネクタ接続部２内にオスコネクタＣを差し込むだけで、摩擦力によって固定する構成（ルアースリップタイプ）としてもよい。
【００１９】
外周壁部７の下端部内周面とホルダ５との間には、キャップ３をホルダ５に対してオスコネクタ接続部２の軸線Ｏの周りに回動可能に連結させる嵌合部が形成されている。本例では、当該嵌合部は、外周壁部７の下端部内周面に形成された環状溝８と、ホルダ５に設けられ環状溝８に嵌合する環状突起９とによって構成されている。また、外周壁部７には、詳細は後述する開口部としての複数の開口１０が形成されている。外周壁部７の内周面には、封止部材としての弾性壁１１が全周に亘って貼着されている。弾性壁１１は、例えば、合成ゴムなどのエラストマ材料によって構成することができる。また、弾性壁１１は、例えば、インサート成形によってキャップ３と一体に成形することが好ましい。
【００２０】
ホルダ５は、外周壁部７の内周側に配置された内周壁部１２を有している。内周壁部１２の下部には、凹部底壁１３が形成されており、内周壁部１２と凹部底壁１３とによって、弁体６が配置される収容凹部１４が形成されている。図３〜図５に示すように、内周壁部１２は、第１の周領域部分１２ａと、第１の周領域部分１２ａを除く部分である第２の周領域部分１２ｂとからなっている。図１に示したように、内周壁部１２の第１の周領域部分１２ａと外周壁部７との間には、前述した弾性壁１１が隙間なく介在することで、第１の周領域部分１２ａと外周壁部７との間への液体の流入が妨げられるようになっている。
【００２１】
また、内周壁部１２の第２の周領域部分１２ｂと外周壁部７との間には、オスコネクタ接続部２へのオスコネクタＣ（後掲図８参照）の接続にてオスコネクタＣ内の液体流路Ｒ１を医療器具接続部４内の液体流路Ｒ２に連通させる液体連通路Ｒ３が形成されている。すなわち、本実施形態において、前述した弾性壁１１と内周壁部１２の第２の周領域部分１２ｂとの間には、液体連通路Ｒ３となる隙間が形成されている。
【００２２】
弁体６は、図１、図６及び図７に示すように、オスコネクタ接続部２を閉塞する円柱状の頭部１５と、該頭部１５に連なる円柱状の胴部１６とを有している。胴部１６の上端部は、頭部１５の下端部に向かって縮径するテーパ状に形成されている。頭部１５の下端部には、周方向に延びる溝状の切欠き１７が形成されている。切欠き１７は、本例では、頭部１５の半周に亘って形成されている。
【００２３】
胴部１６は、上側部分が中実状に形成されると共に、下側部分が中空状に形成されている。すなわち、胴部１６は、頭部１５と反対側の端部に開口する中空部１８を有している。胴部１６の下側部分は、中空部１８を形成する蛇腹状の周壁１９を有している。蛇腹状の周壁１９の上端部外周面には、収容凹部１４に液密に摺接するシール突起２０が周設されている。蛇腹状の周壁１９の下端部外周面には、収容凹部１４に形成された係合突起２１と係合して胴部１６の周方向の回転を防止する係合凹部２２が形成されている。なお、胴部１６の周方向の回転を防止する手段としては、係合突起２１及び係合凹部２２に代えて、例えば接着又は溶着などを用いてもよい。
【００２４】
図１に示したように、ホルダ５の凹部底壁１３には、弁体６の中空部１８と、内周壁部１２の第１の周領域部分１２ａの外周面とを連通させる通気路２３が形成されている。すなわち、通気路２３の一端は、内周壁部１２における第１の周領域部分１２ａの外周面に開口しており、通気路２３の他端は、凹部底壁１３の上面における弁体６の中空部１８に対応する位置に開口している。凹部底壁１３には、軸線Ｏを中心とする円筒状の支持突起２４が立設されている。
【００２５】
凹部底壁１３の下部には、内周壁部１２の第２の周領域部分１２ｂと外周壁部７との間に形成された液体連通路Ｒ３を医療器具接続部４内の液体流路Ｒ２に連通させる空洞部２５が形成されている。
【００２６】
ホルダ５には、液体連通路Ｒ３よりも下方において、弾性壁１１の内周面に圧接する環状突起２６が周設されており、該環状突起２６によって、液体連通路Ｒ３と医療用コネクタ１の外部との間のシール性が高められている。
【００２７】
凹部底壁１３の下部には、医療器具接続部４が連設されている。医療器具接続部４は、本例では、オスコネクタ接続部２の軸線Ｏと同心に配置されたルアーロックタイプのオスコネクタ２７として構成されている。なお、本例では、医療用コネクタ１は、医療器具接続部４として１つのオスコネクタ２７を有する混注プラグとして構成されているが、これに代えて、例えば、さらなる接続部を有するＴ型混注ポートや、３方活栓として構成することもできる。
【００２８】
また、図８及び図９に示すように、キャップ３には、オスコネクタ接続部２へのオスコネクタＣの接続に伴い弁体６の中空部１８から通気路２３を通じて排出された空気によって弾性壁１１が外周側に向かって膨らむことを可能にする開口部として、複数の開口１０を有している。複数の開口１０は、オスコネクタ接続部２の軸線Ｏの周りに全周に亘って間隔Ｇを空けて配置されている。通気路２３は、本例では、一端側部分が末広がり形状をなしている。また、通気路２３の一端は、複数の開口１０の間隔Ｇよりも大きい周方向幅Ｗを有している。
【００２９】
かかる構成になる本実施形態に係る医療用コネクタ１によれば、図８に示したように、医療器具接続部４に医療器具の管体のコネクタ（図示省略）を接続した状態で、他の医療器具の管体のオスコネクタＣをオスコネクタ接続部２に接続すると、オスコネクタＣにより、弁体６の頭部１５が、胴部１６の蛇腹状の周壁１９を収縮させつつ押し込まれる。その際、胴部１６の中空部１８から空気を、通気路２３を通じて排出することができるため、オスコネクタ接続部２へのオスコネクタＣの接続に要する力を小さくし、接続を容易にすることができる。そして、このとき中空部１８から排出された空気は、図９に示したように、弾性壁１１を膨らませつつ、弾性壁１１とホルダ５との間に保持される。その際、通気路２３の一端が、複数の開口１０の間隔Ｇよりも大きい周方向幅Ｗを有していることから、キャップ３とホルダ５との周方向の相対位置の如何に関わらず、中空部１８から排出された空気で弾性壁１１を膨らませることが可能となる。
【００３０】
そして、蛇腹状の周壁１９が折り畳まれると、収容凹部１４の底面に設けられた支持突起２４が、弁体６の中空部１８の頭部１５側端面に当接し、蛇腹状の周壁１９のさらなる変形が抑制される。この状態から、弁体６の頭部１５がさらに押し込まれると、弁体６の頭部１５が切欠き１７を起点として液体連通路Ｒ３に向けて傾くように変形する。その結果、ホルダ５の内周壁部１２の第２の周領域部分１２ｂとキャップ３の外周壁部７との間に形成された流体連通路Ｒ３を通じて、オスコネクタＣ内の流体流路Ｒ１を医療器具接続部４内の流体流路Ｒ２に連通させることができる。また、このとき、内周壁部１２の第１の周領域部分１２ａと外周壁部７との間には、弾性壁１１が隙間なく介在しているため、第１の周領域部分１２ａと外周壁部７との間への液体の流入を妨げ、液体の滞留を抑制することができる。
【００３１】
さらに、このとき、弁体６の胴部１６は収容凹部１４に覆われている。したがって、図８中に矢印で示すように、医療用コネクタ１内を流れる流体が、弁体６の胴部１６に接触することが抑制されるため、弁体６の胴部１６での流体の付着による汚染の発生が抑制される。さらに、本例では、弁体６の胴部１６の外周面に周設されたシール突起２０が収容凹部１４の内周面に液密に摺接しているため、医療用コネクタ１内を流れる流体が弁体６の蛇腹状の周壁１９の外周面まで侵入することが一層、抑制される。
【００３２】
そして、この状態で、医療用コネクタ１を介して接続された管体間に捩れが生じた場合には、キャップ３とホルダ５とが、互いに、オスコネクタ接続部２の軸線Ｏの周りに回動可能に連結されていることから、キャップ３とホルダ５が相互に回動することで、当該捩れを吸収することができる。
【００３３】
なお、オスコネクタＣをオスコネクタ接続部２に接続した際に、弁体６の中空部１８から排出された空気が、図９に示したように、弾性壁１１を膨らませつつ、弾性壁１１とホルダ５との間に保持されているが、この状態から、前記した管体間の捩れの発生に伴ってキャップ３とホルダ５が相互に回動していくと、弾性壁１１の膨らみと流体連通路Ｒ３とが重なったとき、弾性壁１１の膨らみによって保持していた空気が流体連通路Ｒ３内に入ることになる。しかしながら、このように流体連通路Ｒ３内に混入する空気の量は、できるだけ少ない方が好ましい。したがって、弁体６の中空部１８の大きさを設定する際には、オスコネクタ接続部２へのオスコネクタＣの接続抵抗のみならず、前記の空気の混入量も考慮して設定することが好ましい。
【００３４】
また、使用前にオスコネクタＣを接続した状態でキャップ３とホルダ５を相互に一回転させて、空気を流体連通路Ｒ３に逃がし、該オスコネクタＣを抜いておくことで、その分、弁体６の中空部１８を陰圧にすることができる。したがって、その後は、オスコネクタＣをオスコネクタ接続部２に接続しても、弾性壁１１が膨らむことが回避されるため、キャップ３とホルダ５の相互回転に伴う流体連通路Ｒ３内への空気の混入の発生を回避することができる。なお、このように、使用前に空気を流体連通路Ｒ３に逃がしておいた場合には、オスコネクタＣを接続していないときに、弾性壁１１が通気路２３側に少し凹んだ状態となる。
【００３５】
このように、医療用コネクタ１によれば、医療用コネクタ１を介して接続された管体間の捩れをキャップ３とホルダ５の相互回転によって吸収できるため、医療用コネクタ１を介して接続された管体間の捩れに起因する、管体内での液体の流通の阻害や、オスコネクタ接続部２からのオスコネクタＣの抜脱の発生を抑制することができる。
【００３６】
さらに、オスコネクタ接続部２からのオスコネクタＣの接続解除時には、弁体６の胴部１６の蛇腹状の周壁１９が膨張、復元するため、従来、オスコネクタＣ抜去時に生じることが懸念された医療用コネクタ１内部の流体流路容積の増加が、弁体６の胴部１６の蛇腹状の周壁１９の膨張分によって抑制又は防止される。その結果、オスコネクタＣ抜去時における医療器具接続部４での流体の引き込みの発生が抑制又は防止される。
【００３７】
次に、図１０〜図１３を参照して、本発明の他の実施形態に係る医療用コネクタ１’について詳細に例示説明する。
本実施形態に係る医療用コネクタ１’は、図１〜図９を用いて前述した実施形態の場合とは、封止部材（前述した実施形態では弾性壁１１）、通気路２３及び外周壁部７の構成を除き、同一の構成になっている。
【００３８】
図１０〜図１３に示すように、本実施形態では、封止部材としての弾性部材２８は、内周壁部１２の第１の周領域部分１２ａに貼着された環状をなす第１の帯状弾性体２８ａを有している。また、弾性部材２８は、液体連通路Ｒ３よりも下方においてホルダ５に貼着された円環状の第２の帯状弾性体２８ｂを有している。本例では、第１の帯状弾性体２８ａと第２の帯状弾性体２８ｂとは互いに一体になっている。弾性部材２８は、例えば、インサート成形によってホルダ５と一体に成形することが好ましい。
【００３９】
また、本実施形態では、通気路２３の一端は、医療用コネクタ１’の外部に連通している。そして、外周壁部７には、前述した実施形態では設けられていた複数の開口１０（開口部）は設けられていない。
【００４０】
したがって、本実施形態に係る医療用コネクタ１’によれば、医療器具接続部４に医療器具の管体のコネクタ（図示省略）を接続した状態で、他の医療器具の管体のオスコネクタＣ（前掲図８参照）をオスコネクタ接続部２に接続すると、弁体６の中空部１８から、空気が、通気路２３（図１０参照）を通じて医療用コネクタ１’の外部へ排出される。そして、この状態で、医療用コネクタ１を介して接続された管体間に捩れが生じた場合には、キャップ３とホルダ５が相互に回動することで、当該捩れを吸収することができる。その他の効果は、前述した実施形態の場合と同様である。
【００４１】
前述したところは、本発明の一実施形態を示したにすぎず、特許請求の範囲において、種々の変更を加えることができる。例えば、ホルダ５は単一の部材として示したが、２部品以上を組み立てることで構成してもよく、他の部材についても同様に、２部品以上を組み立てることで構成することができる。
【００４２】
また、前述した例では、弁体６に切欠き１７を設けるものとして説明したが、必ずしもこのような構成に限定する必要はなくオスコネクタ接続部２へのオスコネクタＣの接続にて、該オスコネクタＣにより、弁体６が押し込まれ、オスコネクタＣ内の液体流路Ｒ１を医療器具接続部４内の液体流路Ｒ２に連通させることができる限り、任意の構成とすることができる。すなわち、切欠き１７を設けない場合には、例えば、弁体６の頭部１５の上面が傾斜した形状をなす構成としたり、頭部１５の上面に頭部１５の外周面に開放する溝を形成した構成とすることができる。また、弁体６に切欠き１７を設ける場合、切り欠き１７を設ける位置については、オスコネクタＣの接続時に頭部１５を傾けて、オスコネクタＣ内の流体流路Ｒ１を医療器具接続部４内の液体流路Ｒ２に連通させることができる限り、特に限定されない。すなわち、切欠き１７は、必ずしも、前述したように、頭部１５の下端部に設ける必要はなく、シール突起２０より上側の任意の位置に設けることが可能である。すなわち、切欠き１７は、例えば、胴部１６の外周面に設けることもできる。
【符号の説明】
【００４３】
１，１’  医療用コネクタ
２  オスコネクタ接続部
３  キャップ
４  医療器具接続部
５  ホルダ
６  弁体
７  外周壁部
８  環状溝
９  環状突起
１０  開口（開口部）
１１  弾性壁
１２  内周壁部
１２ａ  第１の周領域部分
１２ｂ  第２の周領域部分
１３  凹部底壁
１４  収容凹部
１５  頭部
１６  胴部
１７  切欠き
１８  中空部
１９  蛇腹状の周壁
２０  シール突起
２１  係合突起
２２  係合凹部
２３  通気路
２４  支持突起
２５  空洞部
２６  環状突起
２７  オスコネクタ（医療器具接続部）
２８  弾性部材
２８ａ  第１の帯状弾性体
２８ｂ  第２の帯状弾性体
Ｏ  軸線
Ｃ  オスコネクタ
Ｒ１  オスコネクタ内の液体流路
Ｒ２  医療器具接続部内の液体流路
Ｒ３  液体連通路
Ｇ  間隔
Ｗ  周方向幅
【図１】
2016047135.tif 000003
【図２】
2016047135.tif 000004
【図３】
2016047135.tif 000005
【図４】
2016047135.tif 000006
【図５】
2016047135.tif 000007
【図６】
2016047135.tif 000008
【図７】
2016047135.tif 000009
【図８】
2016047135.tif 000010
【図９】
2016047135.tif 000011
【図１０】
2016047135.tif 000012
【図１１】
2016047135.tif 000013
【図１２】
2016047135.tif 000014
【図１３】
2016047135.tif 000015
【国際調査報告】
2016047135.tif 000016
2016047135.tif 000017
2016047135.tif 000018
2016047135.tif 000019
2016047135.tif 000020
2016047135.tif 000021